(57)【要約】【課題】  点字鋲が複数装着された表面シート材と、表面シート材の下に設けられる下シート材とを備えた床用シート材において、点字鋲の部分の色彩を簡単に変更させて、点字鋲の存在を簡単に確認できると共に、意匠的にも優れ、また点字鋲により各種の表示も行える床用シート材を提供する。【解決手段】  透光性の点字鋲１２が複数装着された表面シート材１１と、表面シート材１１の下に設けられる下地シート材１４とを備えた床用シート材１０Ａにおいて、点字鋲１２が設けられた表面シート材１１の部分と下地シート材１４との間に、表面シート材１１の表面の色彩と異なる輝度の色彩の色シート１５を設けた。【選択図】  図３
2015129378.tif 000002
【特許請求の範囲】
【請求項１】
透光性の点字鋲が複数装着された表面シート材と、表面シート材の下に設けられる下シート材とを備えた床用シート材において、前記の表面シート材の表面の色彩と前記の下シート材の表面の色彩とが異なる輝度の色彩になっていることを特徴とする床用シート材。
【請求項２】
請求項１に記載した床用シート材において、前記の下シート材が、前記の表面シート材の下に設けられる下地シート材又は色シートであることを特徴とする床用シート材。
【請求項３】
請求項１に記載した床用シート材において、前記の表面シート材と、表面シート材の下に設けられる下地シート材との間に、表面シート材の表面の色彩と異なる輝度の色彩の色シートを設けたことを特徴とする床用シート材。
【請求項４】
請求項１〜請求項３の何れか１項に記載した床用シート材において、前記の透光性の点字鋲として、透光性材料で構成された中実の点字鋲を用いたことを特徴とする床用シート材。
【請求項５】
透光性の点字鋲が複数装着された表面シート材と、表面シート材の下に設けられる下地シート材とを備えた床用シート材において、底部が開口されて中空状になった透光性の点字鋲を用い、この点字鋲の内部に、前記の表面シート材の表面の色彩と異なる輝度の色彩の色部材を収容させたことを特徴とする床用シート材。
【請求項６】
請求項１〜請求項５の何れか１項に記載した床用シート材において、前記の表面シート材に、タイルカーペットを用いたことを特徴とする床用シート材。
【発明の詳細な説明】
【技術分野】
【０００１】
本発明は、複数の点字鋲が設けられた床用シート材に関するものである。特に、点字鋲が複数装着された表面シート材と、表面シート材の下に設けられる下シート材とを備えた床用シート材において、点字鋲の部分の色彩を簡単に変更させて、表面シート材の表面の色彩と点字鋲の部分の色彩との輝度比を適切に設定し、点字鋲の存在を簡単に確認できるようにすると共に、簡単に意匠的にも優れた床用シート材が得られ、また点字鋲により各種の表示も簡単に行えるようにした点に特徴を有するものである。
【背景技術】
【０００２】
従来から、目の不自由な人が進路情報等を適切に視認できるようにするため、横断歩道や駅のプラットホーム等に点字ブロックが設けられており、また病院やホテル等の建造物等においても、目の不自由な人が進路情報等を適切に視認できるようにするため、特許文献１〜４等に示されるように、カーペット等の床用シート材に複数の点字鋲を設けたものが提案されている。
【０００３】
ここで、特許文献１においては、タイルやカーペット等の化粧シート材に挿入孔を貫通して設け、この化粧シート材の裏面に固定具を配置させると共に、化粧シート材の表面に点字鋲本体を配置させ、前記の挿入孔を通して固定手段により点字鋲本体を前記の固定具に固定させて、化粧シート材に取り付けるようにしたものが示されている。
【０００４】
また、特許文献２においては、タイルカーペット本体とこのタイルカーペットの裏面に配置させるメタルシートとにそれぞれ貫通孔を設け、タイルカーペット本体の表面から金属製またはゴム製などの点字鋲を各貫通孔に挿入させると共に、前記のメタルシートの裏面から点字鋲の底面に形成されためねじ穴に、それぞれボルトを螺着させて、点字鋲をタイルカーペット本体に取り付けるようにしたものが示されている。
【０００５】
また、特許文献３においては、点字鋲の下面に金属製の釘針を取り付け、この釘針をカーペット地の上面から打ち込み、この釘針をカーペット地の裏面に設けられた座金板を通して座金板の裏面において折り曲げて、点字鋲をカーペット地に取り付けるようにしたものが示されている。
【０００６】
ここで、前記の特許文献１〜３に示されるものにおいては、点字鋲をカーペット等の床用シート材に取り付ける方法を示しているだけであり、点字鋲の色彩については特に示されておらず、床用シート材の色彩と点字鋲の色彩との輝度比を適切に設定して、点字鋲の存在を簡単に確認できるようにしたり、また点字鋲によって意匠的に優れた床用シート材を得るようにしたり、点字鋲により各種の表示が簡単に行えるようにしたりすることについては一切示されていない。
【０００７】
また、前記の特許文献１〜３に示されるものにおいては、床用シート材の色彩と点字鋲の色彩との輝度比を適切に設定して、点字鋲の存在を確認できるようにしたり、点字鋲によって意匠的に優れた床用シート材を得るようにしたり、点字鋲により各種の表示を行うようにしたりするためには、様々な色彩の点字鋲を準備し、床用シート材の色彩等に対応させて、適当な色彩の点字鋲を床用シート材の適当な位置に前記のようにして取り付けることが必要になる。
【０００８】
この場合、必要な色彩の点字鋲を予め準備して保管しておくことが必要になり、コストが高くつくと共に、その保管も煩雑であり、さらに適当な色彩の点字鋲を選択して床用シート材適当な位置に取り付けると作業工数が増加し、多くの時間を要する等の問題があり、床用シート材の色彩と点字鋲の色彩との輝度比を適切に設定して、点字鋲の存在を簡単に確認できるようにしたり、点字鋲によって意匠的に優れた床用シート材を簡単に得るようにしたり、点字鋲により各種の表示を行えるようにすることは困難であった。
【先行技術文献】
【特許文献】
【０００９】
【特許文献１】特許第３６３２９１６号公報
【特許文献２】特許第３８３０２７５号公報
【特許文献３】実用新案登録第３０１７０１０号公報
【発明の開示】
【発明が解決しようとする課題】
【００１０】
本発明は、複数の点字鋲が設けられた床用シート材における前記のような問題を解決することを課題とするものである。
【００１１】
そして、本発明においては、点字鋲が複数装着された表面シート材と、表面シート材の下に設けられる下シート材とを備えた床用シート材において、点字鋲の部分の色彩を簡単に変更させて、表面シート材の表面の色彩と点字鋲の部分の色彩との輝度比を適切に設定し、点字鋲の存在を簡単に確認できるようにすると共に、簡単に意匠的にも優れた床用シート材が得られ、また点字鋲により各種の表示も簡単に行えるようにすることを課題とするものである。
【課題を解決するための手段】
【００１２】
本発明に係る第１の床用シート材においては、前記のような課題を解決するため、透光性の点字鋲が複数装着された表面シート材と、表面シート材の下に設けられる下シート材とを備えた床用シート材において、前記の表面シート材の表面の色彩と前記の下シート材の表面の色彩とが異なる輝度の色彩になるようにしたのである。
【００１３】
ここで、前記の下シート材としては、前記の表面シート材の下に設けられる下地シート材又は色シートを用いることができる。さらに、点字鋲が設けられた表面シート材の部分と下地シート材との間に、表面シート材の表面の色彩と異なる輝度の色彩の色シートを設けるようにすることもできる。
【００１４】
このようにすると、表面シート材の表面の色彩と輝度が異なる前記の下シートの色彩を、前記の透光性の点字鋲を通して適切に視認することができ、これにより点字鋲の存在を確認することができる。即ち、本発明の点字鋲は、歩行する視覚障害者が、その靴裏で点字鋲に触れて足裏の触感によりその存在を確認することと、点字鋲の表面の視覚効果によって点字鋲の存在を確認することを合わせて行うことができ、自己の歩行経路を判断し、あるいは所定の警告を認知することにより、歩行の安全を確保することができるものである。特に、視覚障害者の中でも弱視者に対して視覚により誘導方向あるいは警告を認知させる機能を併せもつものである。
【００１５】
ここで、この床用シート材においては、前記の透光性の点字鋲としては、内部が詰まった中実の透光性材料で構成されたものを用いることが好ましい。このように中実の透光性材料で構成された点字鋲を用いると、この点字鋲を通して下シートに導かれて反射された光が、この点字鋲を通して効率よく外部に導出されるようになり、点字鋲から離れた位置においても下シートの色彩を適切に視認して点字鋲の存在を簡単に確認できるようになる。
【００１６】
また、前記のように点字鋲が設けられた表面シート材の部分と下地シート材との間に、表面シート材の表面の色彩と異なる輝度の色彩の色シートを設けるにあたっては、点字鋲が設けられた表面シート材の部分と下地シート材との間に設ける色シートの色彩は１種類に限られず、色彩が異なる複数の色シートを用い、点字鋲を通して視認される色シートの色彩を、表面シート材に設けられた各点字鋲の位置で異ならせたり、適当な模様が形成された色シートを用いたり、特定の色彩の色シートを所定のパターンで配置させたりして、各点字鋲を通して視認される色彩を変更させて、各種の表示を行ったりすることもできる。
【００１７】
また、本発明に係る第２の床用シート材においては、前記のような課題を解決するため、透光性の点字鋲が複数装着された表面シート材と、表面シート材の下に設けられる下地シート材とを備えた床用シート材において、底部が開口されて中空状になった透光性の点字鋲を用い、この点字鋲の内部に、前記の表面シート材の表面の色彩と異なる輝度の色彩の色部材を収容させるようにした。
【００１８】
このようにすると、表面シート材の表面の色彩と輝度が異なる前記の色部材の色彩を、透光性の点字鋲を通して適切に視認することができ、これにより点字鋲の存在を確認することができる。
【００１９】
この場合においても、点字鋲の内部に収容させる色部材として、色彩の異なる複数の色部材を用い、点字鋲の内部に収容させる色部材の色彩を適当に異ならせて、点字鋲を通して視認される色彩を点字鋲の位置で異ならせたり、複数の点字鋲の内部に特定の色彩の色部材を所定のパターンで収容させて、点字鋲を通して視認される色彩により各種の表示を行ったりすることもできる。
【００２０】
ここで、前記の第１及び第２の床用シート材において、前記の表面シート材としては、床用シート材として一般に使用されている可撓性の樹脂タイルやカーペット等を用いることができる。特に、前記の点字鋲の周辺部が目立たないようにすると共に、取り扱いが容易で、部分的に交換させたり、適当に配置を変更させたりすることができるタイルカーペットを、表面シート材として用いることが好ましい。また、下シート材の種類は特に限定されないが、十分な強度を有すると共に、適度のクッション性を有する樹脂シートやゴムシート等を用いることができる。
【発明の効果】
【００２１】
本発明における第１及び第２の床用シート材においては、前記のように表面シート材の表面の色彩と輝度が異なる前記の下シートや色部材の色彩を、透光性の点字鋲を通して適切に視認することができ、これにより点字鋲の存在を簡単に確認できるようになる。
【００２２】
また、前記のように色彩が異なる複数の色シートを用いたり、色彩の異なる複数の色部材を用いたりして、点字鋲を通して視認される色シートや色部材の色彩を点字鋲の位置で異ならせると、意匠的に優れた床用シート材を簡単に得ることができるようになる。
【００２３】
さらに、適当な模様が形成された色シートを用いたり、特定の色彩の色シートを所定のパターンで配置させたり、特定の色彩の色部材を所定のパターンで配置させたりして、表面シート材に設けられた各点字鋲を通して視認される色彩により、矢印等の各種の表示を行うことも簡単に行えるようになる。
【図面の簡単な説明】
【００２４】
【図１】本発明の実施形態１に係る床用シート材において、タイルカーペットからなる表面シート材に、中実の透光性材料で構成された透光性の点字鋲を複数装着させた状態を示し、（Ａ）は概略平面図、（Ｂ）は部分断面説明図である。
【図２】前記の実施形態１に係る床用シート材において、下地シート材の上に、表面シート材の表面の色彩と異なる輝度の色彩を有する１枚の色シートをセットした状態を示した概略平面図である。
【図３】前記の実施形態１に係る床用シート材において、１枚の色シートがセットされた下地シート材の上に、複数の点字鋲が装着された前記の表面シート材をセットさせた状態を示し、（Ａ）は概略平面図、（Ｂ）は部分断面説明図である。
【図４】前記の実施形態１に係る床用シート材において、下地シート材の上に色彩の異なる３枚の色シートをセットした状態を示した概略平面図である。
【図５】図４に示すように色彩の異なる３枚の色シートをセットした下地シート材の上に、複数の点字鋲が装着された前記の表面シート材をセットさせた状態を示した概略平面図である。
【図６】前記の実施形態１に係る床用シート材において、下地シート材の上に、矢印の模様をベースの色彩と異なる色彩で形成した色シートをセットした状態を示した概略平面図である。
【図７】図６に示すように矢印の模様をベースの色彩と異なる色彩で形成した色シートをセットした下地シート材の上に、複数の点字鋲が装着された前記の表面シート材をセットさせた状態を示した概略平面図である。
【図８】前記の実施形態１に係る床用シート材において、平面円形状になった点字鋲と、平面略長方形状になった点字鋲とを組み合わせて、表面シート材に装着させた状態を示した概略平面図である。
【図９】本発明の実施形態２に係る床用シート材において、表面シート材に、底部が開口されて中空状になった透光性の点字鋲を複数装着させた状態を示した部分断面説明図である。
【図１０】前記の実施形態２に係る床用シート材において、表面シート材に設けられた各透光性の点字鋲に対応する位置に、前記の表面シート材の表面の色彩と異なる輝度の色彩を有する円柱状の色部材をセットした状態を示した概略平面図である。
【図１１】前記の実施形態２に係る床用シート材において、下地シート材の上にセットされた各色部材を、中空状になった各点字鋲内に収容させるようにして、前記の表面シート材を下地シート材の上にセットさせた状態を示し、（Ａ）は概略平面図、（Ｂ）は部分断面説明図である。
【発明を実施するための最良の形態】
【００２５】
以下、この発明の実施形態に係る床用シート材を添付図面に基づいて具体的に説明する。なお、この発明に係る床用シート材は、特に下記の実施形態に示したものに限定されるものではなく、その要旨を変更しない範囲において適宜変更して実施できるものである。
【００２６】
（実施形態１）
この実施形態に係る床用シート材１０Ａにおいては、図１（Ａ），（Ｂ）に示すように、表面シート材１１の所定の位置に、点字鋲１２を取り付けるための複数の取付孔１３を、この表面シート材１１を貫通するようにして設け、各取付孔１３に透光性の点字鋲１２を着脱可能に装着させるようにした。
【００２７】
ここで、この実施形態においては、前記の表面シート材１１として、基布１１ａの表面にパイル１１ｂが植設されると共に、その裏面に裏打ち材１１ｃが設けられて所定大きさの矩形状になったタイルカーペット１１を用いるようにした。これは、一般的にカーペットは室内灯の光を和らげる防眩性があるのに対して、透光性の点字鋲は逆に光を反射し易いため、輝度に差が生じやすいためである。但し、使用する表面シート材１１は、このようなタイルカーペット１１に限定されず、ポリ塩化ビニル樹脂、ポリエチレン樹脂、エチレン−ビニル共重合樹脂等の熱可塑性樹脂で構成された可撓性の樹脂タイル等、従来から一般に使用されているものを用いることができる。
【００２８】
また、この実施形態においては、前記の透光性の点字鋲１２として、平面形状が円形状であって、透光性材料で構成された中実の点字鋲１２を用いるようにした。
【００２９】
また、前記の表面シート材１１の下に設ける下地シート１４としては、前記の表面シート材１１と同じ大きさの矩形状になった樹脂シートやゴムシート等を用いるようにした。また、前記の表面シート材１１と下地シート材１４とが勝手にずれないようにするため、表面シート材１１と下地シート材１４との間に粘着剤等を付与することもできる。
【００３０】
そして、この下地シート１４の上に前記のように複数の点字鋲１２が装着された表面シート材１１を載置させるにあたり、この実施形態においては、図２に示すように、表面シート材１１に設けられた各点字鋲１２の部分を含む大きさの色シート１５を前記の下地シート１４の上にセットした。
【００３１】
ここで、前記の色シート１５としては、その色彩が前記の表面シート材１１の表面の色彩と異なる輝度のものを用いるようにしている。例えば、表面シート材１１の表面の色彩が暗い色である場合には、前記の色シート１５としては、その色彩が明るい色のものを用いる一方、表面シート材１１の表面の色彩が明るい色である場合には、前記の色シート１５としては、その色彩が暗い色のものを用いることが好ましい。特に、視覚障害者が容易に識別できる輝度比を確保するためには、表面シート材１１の表面の色彩と色シート１５の色彩との輝度比が２以上になるようにすることが好ましい。
【００３２】
例えば、表面の輝度が１０．６になった黒色に近い濃いグレー色の表面シート１１を用いる一方、表面の輝度が５６．８になった黄色の色シート１５を用い、表面シート材１１の表面と色シート１５の表面との輝度比が５．３６になった表面シート１１と色シート１５とを組み合わせて使用することができる。
【００３３】
ここで、前記の輝度は、４００ＬＸのクリプトン光源を用いた条件下で、水平方向に２ｍ、垂直方向に１．５ｍ離れた位置において、市販の輝度計（コニカミノルタ社製：ＬＳ−１１０）を用いて測定した値であり、前記の輝度比は、下記の式により算出した値である。なお、輝度比は、コントラスト比ともいわれる。
輝度比＝[lmax]／[lmin]
lmax：最大輝度、又は輝度の大きい方
lmin：最小輝度、又は輝度の小さい方
【００３４】
また、色シート１５の材質は、たとえば合成樹脂、金属、紙など、またはこれらの複合物を用いることができ、強度や耐水性の観点から合成樹脂が好ましい。合成樹脂としては、ポリプロピレン、ポリスチレン、ポリエチレンテレフタラートなどのオレフィン系、ナイロンなどのポリアミド系、ポリ塩化ビニルなどが用いられる。
【００３５】
また、これらの材料に着色材（顔料又は染料）を添加したり、表面に塗料の塗布や、印刷することによって、色シート１５に所望の色を付与することができる。合成樹脂には、着色材を添加して着色することができる。着色材としては、例えば、カーボンブラック、チタン白、亜鉛華、弁柄、紺青、カドミウムレッド等の無機顔料；アゾ顔料、レーキ顔料、アントラキノン顔料、キナクリドン顔料、フタロシアニン顔料、イソインドリノン顔料、ジオキサジン顔料等の有機顔料；アルミニウム粉、ブロンズ粉等の金属粉顔料；酸化チタン被覆雲母、酸化塩化ビスマス等の真珠光沢顔料；蛍光顔料；夜光顔料、各種の染料等が挙げられる。これらの着色材は、公知又は市販のものから単独又は２種以上を選ぶことができる。これらの着色材には、シリカ等のフィラー、有機ビーズ等の体質顔料、中和剤、界面活性剤等がさらに配合してもよい。また、着色材の添加量も、所望の色合い等に応じて適宜設定すれば良い。必要に応じて、充填剤、艶消し剤、発泡剤、難燃剤、滑剤、帯電防止剤、酸化防止剤、紫外線吸収剤、光安定化剤等の各種の添加剤が含まれていても良い。
【００３６】
また、色シート１５の厚みは、０．１〜３ｍｍ、好ましくは０．２〜２ｍｍ、より好ましくは０．３〜１．５ｍｍである。色シート１５があまりに厚いと表面シート材１１に浮きや段差が発生して美観を損なったり、歩行の妨げとなり、また柔軟性が損なわれてハンドリングが難しくなる虞がある。あまりに薄いと必要な色彩を得ることが難しくなり、また色シート１５にシワが発生したり、強度不足による材料破壊を起こすおそれがある。
【００３７】
そして、前記のように下地シート１４の上に、表面の輝度が１０．６になった黒色に近い濃いグレー色の表面シート１１と、表面の輝度が５６．８になった黄色の色シート１５をセットさせた状態で、図３（Ａ），（Ｂ）に示すように、表面シート材１１に設けられた各点字鋲１２が前記の色シート１５の上に位置するようにして、前記の表面シート材１１を下地シート１４の上にセットするようにした。
【００３８】
このようにすると、前記のように透光性材料で構成された中実の点字鋲１２を通して色シート１５に導かれて反射された光が、この点字鋲１２を通して効率よく外部に導出されるようになる。すなわち、点字鋲１２は、中実であるので、内部での光の屈折や反射を抑制し、光の透過率を高めることができる。これによって、点字鋲１２から離れた位置においても、点字鋲１２を通して表面シート１１と色彩や輝度が異なる前記の色シート１５を適切に視認することができ、点字鋲１２の存在を簡単に確認できるようになる。
【００３９】
また、前記のように下地シート１４の上にセットする色シート１５の色彩を変更させることにより、点字鋲１２を通して視認される色彩を簡単に変更させることができるようになる。本発明においては、色彩を簡単に変更させることができるので、歩行者に対して警告、誘導、注意喚起、等のメッセージを色彩によって発することが可能となる。例えば、工事などで通行に注意が必要な場合に、赤色の下地シートを用いて、歩行者に一層の注意を喚起するなどの使用方法を取ることが可能となる。この効果は、弱視者に限定されず、一般の歩行者にも有効に作用する。
【００４０】
また、この実施形態においては、下地シート１４の上に所定の色彩になった１枚の色シート１５をセットさせるようにしただけであるが、図４に示すように、色彩が異なる３種類の色シート１５ａ，１５ｂ，１５ｃ（例えば、青色の色シート１５ａと、黄色の色シート１５ｂと、赤色の色シート１５ｃ）を、前記の下地シート１４の上に配列させてセットし、このように３種類の色シート１５ａ，１５ｂ，１５ｃが配列された下地シート１４の上に、前記の表面シート材１１をセットさせるようにすることができる。このようにすると、図５に示すように、表面シート材１１に設けられた各点字鋲１２を通して視認される色彩が、前記の３種類の色シート１５ａ，１５ｂ，１５ｃに対応して変化し、意匠的に優れた床用シート材１０Ａが簡単に得られるようになる。
【００４１】
また、下地シート１４の上にセットする前記の色シート１５として、特定の色彩のベースに、異なる色彩の模様や表示を付与したものを用いることもできる。例えば、図６に示すように、矢印の模様１５ｄ１をベースの色彩と異なる色彩で形成した色シート１５ｄを用い、この色シート１５ｄを下地シート１４の上に配置させ、この下地シート１４の上に、前記の表面シート材１１をセットさせるようにすることができる。このようにすると、図７に示すように、前記の色シート１５ｄにおいてベースの色彩と異なる色彩で形成された矢印の模様１５ｄ１の上に位置する点字鋲１２を通して、ベースの色彩と異なる色彩の矢印が視認されるようになり、床用シート材１０において各種の表示を簡単に行うことができるようになる。複数の点字鋲１２で模様などを表出させることによって、警告、誘導などの様々なメッセージを伝達することができる。
【００４２】
このように、床用シート材１０は、点字鋲１２の形状および色彩によって、効果的に注意喚起を行うことができる。すなわち、足裏や杖による感覚に加えて、視覚を通じてもメッセージを伝達することができ、白内障、緑内障などの弱視者への安全対策として好適に用いられる。
【００４３】
なお、この実施形態においては、透光性材料で構成された中実の点字鋲１２を用いるようにしたが、下記の実施形態２に示すように、底部が開口されて中空状になった透光性の点字鋲１２を用いることも可能である。
【００４４】
また、前記の点字鋲１２の平面形状も、前記のような円形状のものに限定されず、例えば、図８に示すように、平面形状が円形状になった前記の点字鋲１２と、平面形状が略長方形状になった点字鋲１２とを組み合わせて使用することも可能である。床用様々な形状の点字鋲１２と、様々な色彩の色シート１５とを組み合わせて、所望のシート材１０を得ることができる。
【００４５】
また、この実施形態においては、下地シート１４の上に前記のように複数の点字鋲１２が装着された表面シート材１１を載置させるにあたり、表面シート材１１に設けられた各点字鋲１２の部分を含む大きさの色シート１５を前記の下地シート１４の上にセットした。
【００４６】
（実施形態２）
この実施形態に係る床用シート材１０Ｂにおいても、前記の実施形態１の床用シート材１０Ａと同様に、図１（Ａ）に示すように、表面シート材１１の所定の位置に、点字鋲１２を取り付けるための複数の取付孔１３を、この表面シート材１１を貫通するようにして設け、各取付孔１３に透光性の点字鋲１２を着脱可能に装着させるようにした。
【００４７】
ここで、この実施形態においては、図９に示すように、前記の透光性の点字鋲１２として、平面形状が円形状であって、底部が開口されて中空状になった点字鋲１２を用いるようにした。
【００４８】
そして、この実施形態においては、このような透光性の点字鋲１２が設けられた表面シート材１１を、前記の下地シート１４の上に載置させるにあたり、図１０に示すように、表面シート材１１に設けられた各透光性の点字鋲１２に対応する位置に、前記の表面シート材１１の表面の色彩と異なる輝度の色彩を有する円柱状の色部材１６をセットするようにした。なお、色部材１６は、円柱状に限られず、点字鋲１２の内部に収容されて色彩を付与できる形状であればよい。
【００４９】
ここで、前記の色部材１６としては、前記の実施形態１における色シート１５の場合と同様に、例えば、表面シート材１１の表面の色彩が暗い色である場合には、前記の色部材１６としては、その色彩が明るい色のものを用いる一方、表面シート材１１の表面の色彩が明るい色である場合には、前記の色部材１６としては、その色彩が暗い色のものを用いるようにし、一般に、表面シート材１１の表面の色彩と色部材１６の色彩との輝度比が２以上になるようにする。
【００５０】
そして、図１１（Ａ），（Ｂ）に示すように、前記のように下地シート１４の上にセットされた各色部材１６を、表面シート材１１に設けられた各点字鋲１２の内部に収容させるようにして、表面シート材１１を下地シート１４の上にセットするようにした。
【００５１】
このように、表面シート材１１に設けられた各点字鋲１２の内部に、表面シート材１１の表面の色彩と異なる輝度の色彩の色部材１６を収容させると、透光性の点字鋲１２を通してこの色部材１６に導かれて反射された光が、この点字鋲１２を通して効率よく外部に導出されるようになり、点字鋲１２から離れた位置においても、前記の色部材１６の色彩を適切に視認することができ、点字鋲１２の存在を簡単に確認できるようになる。
【００５２】
そして、この実施形態に係る床用シート材１０Ｂにおいても、前記のように表面シート材１１に設けられた各点字鋲１２の内部に収容させる色部材１６の色彩を変更させることにより、点字鋲１２を通して視認される色彩を簡単に変更させることができるようになる。
【００５３】
また、この実施形態に係る床用シート材１０Ｂにおいて、色彩が異なる複数の色部材１６を用い、表面シート材１１に設けられた各点字鋲１２に収容させる色部材１６の色彩を適当に変更させるようにすると、点字鋲１２を通して視認される色彩を各点字鋲１２において異ならせることができ、意匠的に優れた床用シート材１０Ｂが簡単に得られるようになる。また、特定の色彩の色部材１６を、表面シート材１１に設けられた適当な位置の点字鋲１２に収容させて、前記の実施形態１に示すような矢印等の各種の表示を行うようにすることも簡単に行えるようになる。
【００５４】
なお、この実施形態においても、前記の表面シート材１１や下地シート１４としては、前記の実施形態１と同様のものを用いることができる。
【００５５】
また、表面シート材１１に設ける前記の底部が開口されて中空状になった透光性の点字鋲１２の平面形状も、前記のような円形状のものに限定されず、前記の実施形態１のものと同様に、前記の図８に示すように、平面形状が円形状になった点字鋲１２と、平面形状が略長方形状になった点字鋲１２とを組み合わせて使用することも可能である。なお、底部が開口されて中空状になった透光性の点字鋲１２として、平面形状が略長方形状になった点字鋲１２を用いる場合には、図示していないが、この点字鋲１２ないに、前記の円柱状の色部材１６を複数収容させるようにしたり、略長方形状になった点字鋲１２の中空部分に対応した直方体状の色部材１６を収容させるようにすることができる。
【符号の説明】
【００５６】
１０Ａ，１０Ｂ  床用シート材
１１  表面シート材（タイルカーペット）、１１ａ  基布、１１ｂ  パイル、１１ｃ  裏打ち材
１２  点字鋲
１３  取付孔
１４  下地シート（下シート）
１５，１５ａ，１５ｂ，１５ｃ，１５ｄ  色シート（下シート）、１５ｄ１  模様
１６  色部材
【図１】
2015129378.tif 000003
【図２】
2015129378.tif 000004
【図３】
2015129378.tif 000005
【図４】
2015129378.tif 000006
【図５】
2015129378.tif 000007
【図６】
2015129378.tif 000008
【図７】
2015129378.tif 000009
【図８】
2015129378.tif 000010
【図９】
2015129378.tif 000011
【図１０】
2015129378.tif 000012
【図１１】
2015129378.tif 000013